(57)【要約】      （修正有）【課題】着信時に確実にイルミネーションランプを点灯させることができる携帯電話音声連動型イルミネーションケースを提供する。【解決手段】ケース本体１を備え、ケース本体１に少なくとも１個のＬＥＤランプ２とＬＥＤランプの点滅を制御する制御回路のプリント基板３とを設け、ケース本体１の内側に制御回路に接続されたコネクタ４を設けて、それをＬＥＤランプ２の動作に要する電源および音声信号を携帯電話７のインターフェースから取得するプラグコネクタとして用いる。携帯電話７から供給される電源によって動作する制御回路により、着信時に携帯電話７から発生する音声信号を検出してＬＥＤランプ２を点灯させる。【選択図】図２
0003177624.tif 000002
【実用新案登録請求の範囲】
【請求項１】
少なくともＬＥＤランプの動作に要する電源および音声信号を出力可能なインターフェースを備えた携帯電話に用いられるケースにおいて、
ケース本体を備え、
前記ケース本体に少なくとも１個のＬＥＤランプと当該ＬＥＤランプの点滅を制御する制御回路とを設け、
前記ケース本体の内側に前記制御回路に接続されたコネクタを設けて、それをＬＥＤランプの動作に要する電源および音声信号を前記携帯電話のインターフェースから取得するプラグコネクタとして用いる
ことを特徴とする携帯電話音声連動型イルミネーションケース。
【請求項２】
請求項１に記載の携帯電話音声連動型イルミネーションケースにおいて、
前記制御回路がＬＥＤドライバ制御チップと増幅回路とを含み、
前記ＬＥＤドライバ制御チップがＬＥＤランプに接続されてＬＥＤランプ電源のオン／オフを制御し、
前記増幅回路がコンデンサにシリアル接続された後に、プラグコネクタの携帯電話音声信号入力端子とＬＥＤドライバ制御チップの制御信号入力端子との間に接続される
ことを特徴とする携帯電話音声連動型イルミネーションケース。
【請求項３】
請求項１に記載の携帯電話音声連動型イルミネーションケースにおいて、
前記ケース本体のＬＥＤランプに対応する領域を透明ロゴ領域にする
ことを特徴とする携帯電話音声連動型イルミネーションケース。
【請求項４】
請求項１に記載の携帯電話音声連動型イルミネーションケースにおいて、
前記ＬＥＤランプが赤、緑および青のＬＥＤランプを含む
ことを特徴とする携帯電話音声連動型イルミネーションケース。
【考案の詳細な説明】
【技術分野】
【０００１】
本考案は、携帯電話の周辺機器に関するものであり、特に携帯電話の着信に応じてイルミネーションを動作、制御する携帯電話ケースに関するものである。
【０００２】
なお、本考案でいう「携帯電話」とは、携帯電話の外、ＰＨＳ、スマートフォン、各種の携帯型無線機など、移動無線端末に類する全ての装置を含むものとする。
【背景技術】
【０００３】
携帯電話ケースでは、携帯電話を保護する機能のほか、装飾性におけるニーズが高まっており、さまざまな材質、図柄、色彩の製品が出揃っているだけでなく、携帯電話ケース上に発光素材を用いた製品も存在している。
【考案の概要】
【考案が解決しようとする課題】
【０００４】
このような既存の携帯電話ケースは、いずれも携帯電話に着信があった際の電波を無線で検出するセンサを介してイルミネーションランプを動作させる方式を採用している。そのため、３Ｇネットワークの進展、３Ｇ携帯電話に存在する信号障害により、現状の携帯電話ケースでは、しばしばイルミネーションが点灯しない、誤作動する等の現象が生じている。また、このような無線センサ方式のケースやアクセサリーは、独立した電源供給システムを要することから、ボタン電池による電源供給が行われている。しかしながら、ボタン電池は容量が小さいため、使用寿命が短く、また、充電が不可能で繰り返し使用ができないため、ボタン電池の廃棄が環境に影響を及ぼすおそれもある。
【課題を解決するための手段】
【０００５】
以上を踏まえ、本考案は、既存の無線センサ方式携帯電話ケースが３Ｇ携帯電話に適さないという課題、および独立した電力供給システムを要するという課題の解決を目的として考案した携帯電話音声連動型イルミネーションケースである。
【０００６】
本考案が提起した技術的な課題を解決するため、少なくともＬＥＤランプの動作に要する電源および音声信号を出力可能なインターフェースを備えた携帯電話に用いられるケースにおいて、ケース本体を備え、前記ケース本体に少なくとも１個のＬＥＤランプと当該ＬＥＤランプの点滅を制御する制御回路とを設け、前記ケース本体の内側に前記制御回路に接続されたコネクタを設けて、それをＬＥＤランプの動作に要する電源および音声信号を前記携帯電話のインターフェースから取得するプラグコネクタとして用いることを特徴とした。
【０００７】
本考案にさらなる改良を行った解決手段においては、前記制御回路がＬＥＤドライバ制御チップと増幅回路とを含み、前記ＬＥＤドライバ制御チップがＬＥＤランプに接続されてＬＥＤランプ電源のオン／オフを制御し、前記増幅回路がコンデンサにシリアル接続された後に、プラグコネクタの携帯電話音声信号入力端子とＬＥＤドライバ制御チップの制御信号入力端子との間に接続されることを特徴とした。
【０００８】
また、前記ケース本体のＬＥＤランプに対応する領域を透明ロゴ領域とした。
【０００９】
さらにまた、前記ＬＥＤランプにおいては、赤、緑および青のＬＥＤランプを含むものとした。
【考案の効果】
【００１０】
本考案によれば、携帯電話のインターフェースに接続するプラグコネクタを採用し、携帯電話の電池をＬＥＤランプの継続的供給電源として共用したことで、携帯電話が出力する音声信号によってＬＥＤランプの点滅を的確に制御し、安定した着信イルミネーションの効果を真に実現することができた。また、独立した電力供給システムの存在を要するという不備を解決したことで、コストの低減、環境負荷の軽減を可能にした。
【図面の簡単な説明】
【００１１】
【図１】本考案の携帯電話音声連動型イルミネーションケースの実施の形態の一例における背面構造を示す図である。
【図２】本考案の携帯電話音声連動型イルミネーションケースの実施の形態の一例における分解構造を示す図である。
【図３】本考案の携帯電話音声連動型イルミネーションケースの実施の形態の一例における回路構成を示す図である。
【考案を実施するための形態】
【００１２】
以下に図面と本考案の優先的実施形態を合わせて、本考案の構成をより具体的に示す。
【００１３】
図１、図２に、本考案におけるケース本体１、ケース本体１に組込む３個以上のＬＥＤランプ２を示す。具体的な実施プロセスにおいては、少なくとも赤、緑および青のＬＥＤランプを備えることが望ましい。各ＬＥＤランプの交互点滅を実現し、注意を喚起させる動的効果を達成するために、ケース本体１に１個の制御回路を設け、制御回路のプリント基板３をケース本体１の底部内に取付ける。ＬＥＤランプ２に点灯制御用電源を取得させ、制御回路にオープンの起動信号を制御させるために、前記ケース本体１の底部内に１個のプラグコネクタ４を設ける。
【００１４】
使用の際は、プラグコネクタ４を携帯電話７のデータインターフェースに挿し込み、携帯電話７のデータインターフェースを介してＬＥＤランプ２の動作用電源および音声信号を取得し、携帯電話の音声信号に応じた制御回路の起動により、ＬＥＤランプ２の点灯、点滅を制御する。本考案の鑑賞性を高め、ケース本体１の単調さを解決するために、ケース本体１のＬＥＤランプ２に対応する領域を透明ロゴ領域１ａにするか、または透明ロゴ領域１ａ内に独立したＬＥＤランプを設ける。
【００１５】
本考案への携帯電話の取付けを容易にするために、ケース本体１の底部に１個の底部カバー５を設ける。底部カバー５はネジ６を介してケース本体１と結合される。
【００１６】
図３にＬＥＤドライバ制御チップＵ１とトランジスタＱ１からなる増幅回路とを含む制御回路を示す。前記ＬＥＤドライバ制御チップＵ１は、ＬＥＤランプＬＥＤ１、ＬＥＤ２、ＬＥＤ３に接続することで、ＬＥＤランプＬＥＤ１、ＬＥＤ２、ＬＥＤ３電源のオン／オフを制御する。
【００１７】
ＬＥＤドライバ制御チップＵ１の動作電源については、電源端子Ｖｃｃとアース端子ＧＮＤを介して携帯電話７のデータインターフェースから取得する。前記増幅回路の電圧入力端子は、コンデンサＣ２を介してプラグコネクタ４の携帯電話音声信号入力端子ＩＮに接続する。増幅回路の電圧出力端子は、ＬＥＤドライバ制御チップＵ１の制御信号入力端子ＳＷに接続する。携帯電話に着信があった場合または音楽が鳴った場合、携帯電話の音声信号は、プラグコネクタ４の携帯電話音声信号入力端子ＩＮを介して入力される。その後、コンデンサＣ２のカップリングを経て、トランジスタＱ１に増幅回路の動作を構成させることで制御信号を発生させ、ＬＥＤドライバ制御チップＵ１の制御信号入力端子ＳＷを介してＬＥＤドライバ制御チップＵ１を動作させ、ＬＥＤランプＬＥＤ１、ＬＥＤ２、ＬＥＤ３を点滅させる。
【符号の説明】
【００１８】
１：ケース本体、１ａ：透明ロゴ領域、２：ＬＥＤランプ、３：プリント基板、４：プラグコネクタ、５：底部カバー、６：ネジ、７：携帯電話。
【図１】
0003177624.tif 000003
【図２】
0003177624.tif 000004
【図３】
0003177624.tif 000005